(57)【特許請求の範囲】
【請求項１】
被写体の撮影及び撮影画像の出力を行う撮影サービスシステムであって、
各撮影地点において被写体の撮影を行う複数の撮影ユニットと、
前記撮影サービスシステム利用者を識別する被写体識別情報を記憶し、記憶した前記被写体識別情報を前記撮影ユニットに送信可能な携帯通信ユニットと、
前記撮影ユニットにおいて撮影した被写体画像の画像データと、前記撮影ユニットが前記被写体画像撮影時に受信した前記被写体識別情報を含む撮影情報とを、関連付けて記憶管理する画像記憶部と、
前記画像記憶部に記憶された前記被写体画像の画像データを用いて、出力画像データを生成し、出力する画像編集出力装置とを含み、
前記携帯通信ユニットは、撮影サービス依頼時に前記利用者に提供されるものであり、
前記撮影ユニットは、前記撮影サービス依頼時に当該撮影ユニットの撮影地点での撮影を希望した利用者を識別する被写体識別情報を予め保持すると共に、前記携帯通信ユニットから受信した前記被写体識別情報が前記保持した被写体識別情報である場合に前記撮影を行うものであり、
前記画像編集出力装置は、前記利用者が希望する画像コンテンツを特定する情報である前記出力画像データの生成に関する情報及び前記利用者が希望する画像データの出力方法を特定する情報である前記出力画像データの出力に関する情報を含む、前記被写体識別情報に対応した前記利用者毎の撮影依頼情報の取得が可能であり、前記被写体識別情報に基づいて、前記画像記憶部から前記関連付けられた被写体画像の画像データを抽出し、前記抽出した画像データと対応する前記撮影依頼情報とに基づいて、当該利用者が希望する出力画像データを生成し、当該利用者が希望する出力方法で前記生成した出力画像データを出力するものである撮影サービスシステム。
【請求項２】
請求項１記載の撮影サービスシステムであって、
前記出力画像データの生成に関する情報は、前記利用者が撮影を希望する撮影地点情報を含む撮影サービスシステム。
【請求項３】
請求項１又は２記載の撮影サービスシステムであって、
前記出力画像データの生成に関する情報は、前記被写体画像の画像データを利用した合成画像の種類を特定する情報を含む撮影サービスシステム。
【請求項４】
請求項３記載の撮影サービスシステムであって、
前記特定される合成画像の種類は、前記撮影地点を含む地図画像の前記撮影地点に、それぞれ対応する前記撮影ユニットにおいて撮影した前記被写体画像をマッピングした画像を含む撮影サービスシステム。
【請求項５】
請求項４記載の撮影サービスシステムであって、
前記画像記憶部に記憶される前記撮影情報は、対応する前記撮影ユニットによる撮影時刻情報を含み、
前記地図画像は、前記撮影時刻情報に基づいて生成した、前記撮影地点間の移動経路を示す画像を含む撮影サービスシステム。
【請求項６】
請求項５記載の撮影サービスシステムであって、
前記撮影地点間の移動経路を示す画像は、前記撮影地点間を結ぶ矢印画像である撮影サービスシステム。
【請求項７】
請求項３記載の撮影サービスシステムであって、
前記画像記憶部に記憶される前記撮影情報は、対応する前記撮影ユニットによる撮影時刻情報を含み、
前記特定される合成画像の種類は、前記撮影時刻情報に基づいて前記被写体画像を撮影時刻順に一列に配置した画像を含む撮影サービスシステム。
【請求項８】
請求項１ないし７のいずれか１項記載の撮影サービスシステムであって、
前記出力画像データの出力に関する情報は、前記出力画像データに基づくプリント出力、前記出力画像データの記録媒体への出力、前記出力画像データのネットワークによる配信を行うサーバへの出力の少なくとも１つを指示する情報を含む撮影サービスシステム。
【請求項９】
請求項１ないし８のいずれか１項記載の撮影サービスシステムであって、
前記撮影依頼情報は、前記出力画像データの受領希望時刻情報を含み、
前記画像編集出力装置は、前記受領希望時刻情報に基づく時刻に、前記被写体識別情報に対応した前記出力画像データの生成及び出力を開始するものである撮影サービスシステム。
【請求項１０】
請求項１ないし９のいずれか１項記載の撮影サービスシステムであって、
前記画像記憶部は、撮影画像管理サーバに設けられ、
前記撮影ユニットは、前記撮影画像管理サーバに接続可能である撮影サービスシステム。
【請求項１１】
請求項１ないし１０のいずれか１項記載の撮影サービスシステムであって、
さらに、画像表示部を有し、かつ前記画像記憶部にアクセス可能なサービス端末装置を含み、
前記携帯通信ユニットは、前記被写体識別情報を前記サービス端末装置に送信可能であり、
前記サービス端末装置は、前記携帯通信ユニットから受信した前記被写体識別情報と関連付けられた前記画像データを前記画像記憶部から取得し、取得した前記画像データに基づく被写体画像を前記画像表示部に表示するものである撮影サービスシステム。
【請求項１２】
請求項１１記載の撮影サービスシステムであって、
前記サービス端末装置は、前記受信した被写体識別情報に対応する前記利用者の撮影依頼情報の変更受付が可能である撮影サービスシステム。
【発明の詳細な説明】
【０００１】
【発明の属する技術分野】
本発明は、被写体の撮影及び撮影画像の出力を行う撮影サービスシステムに関する。
【０００２】
【従来の技術】
カメラの軽量小型化、及び操作の簡単化が進み、観光地、テーマパーク、動物園等での写真撮影も、手軽に行われるようになっている。しかし、個人所有のカメラ使用による同行者全員の撮影は、一般に煩雑である。すなわち、セルフタイマによる撮影は、カメラの設置場所の選定、シャッターチャンス、他の観光客への影響があって簡単ではなく、他の観光客等に撮影を依頼する方法も、同様の問題がある。また、撮影スポットによっては、個人所有のカメラでは、適当な構図の写真撮影が事実上不可能な場合もある。たとえば、テーマパークの搭乗型アトラクション利用時における利用者の撮影は、不可能な場合が多い。また、観光地スポットによっては、立ち入り制限地点からの撮影が最適な場合もある。
【０００３】
さらに、利用者は、撮影地点に関する詳細な撮影支援情報がないまま、撮影を行うことが多く、必ずしも満足のいく撮影画像が得られない。満足のいく画像を得るには、事前に観光地等の情報を書籍等により把握しておく必要があるが、事前に必要な情報を適確に得ることは簡単ではなく、得られる情報も最新のものとは限らない。
【０００４】
このような問題を解決するものとして、特開２００１−１７７７５０公報に記載された画像撮影システムがある。このシステムは、遊園地、テーマパーク、観光地の撮影スポットに設置された撮影ユニットと、被写体である利用者が所持する通信手段との間で、情報の授受を行うことにより、自動的に撮影が行われるものである。撮影ユニットのカメラで撮影された撮影画像情報は、利用者が所持する通信手段からの被写体識別情報を含む撮影情報（撮影日時、撮影ポイント等）と関連付けられて管理され、所定の形式の出力サービスに利用される。複数の撮影ユニットが設置される場合、撮影画像情報と撮影情報とは、各撮影ユニットが接続されるサーバで管理される。
【０００５】
上記従来のシステムにおいては、撮影スポットに応じて複数種類の撮影ユニットが利用可能となっている。１つは、利用者が所持する通信手段に対して撮影ユニットが被写体識別情報の問合せを行い、条件を満たす場合には、予め設定されているタイミングで撮影を行うものである。この撮影ユニットは、例えばテーマパークの乗物アトラクション搭乗時の撮影に利用されるもので、設定されたタイミングは、乗物の位置判別により行う。
【０００６】
別の撮影ユニットは、利用者の依頼によって撮影を行うものである。利用者は、撮影ユニット近傍の案内により撮影ポイントに到達したことを知ったとき、撮影を希望する場合、所持する通信ユニットを操作して撮影依頼を行う。撮影ユニットは、撮影依頼があると撮影画像をモニタに表示して確認を求め、通信ユニットからの確認信号により撮影画像情報を記録するものである。この撮影ユニットは、観光地、テーマパーク等の著名施設を背景とした撮影に利用することができる。
【０００７】
また、上記システムは可搬型の撮影ユニットも利用可能となっている。可搬型の撮影ユニットは、利用者の所持する通信ユニットから被写体識別情報を受信した時に撮影ユニットの所持者が手動で撮影を行い、撮影情報と関連付けて記録するものである。この撮影ユニットは、団体での旅行や観光、集団での催事や行事での撮影に好適で、撮影画像を用いたアルバム編集や個人別のプリントサービスの処理を効率よく行うことができる。
【０００８】
そして、これらの各種撮影ユニットで撮影された撮影画像情報は、利用者の所持する通信ユニットを利用して、利用者毎に抽出可能となっており、プリント出力、記録媒体への出力、ネットワークを利用した配信等に利用される。
【０００９】
しかし、上記公報に記載された画像撮影システムによって撮影された画像情報を利用する場合、撮影ユニットによる撮影終了後、受付窓口に設置された操作端末機を操作して利用依頼を行う必要があるため、利用者の負担が大きい。また、撮影ユニットは、利用者の所持する通信ユニットとの送受信により、利用者を区別せず一律撮影を行うものであるため、利用者が不要な画像を撮影する場合も多く、非効率的である。
【００１０】
【発明が解決しようとする課題】
本発明は、上記事情に鑑みなされたもので、利用者が必要とする画像を効率よく撮影し、撮影画像情報に基づく出力サービスを効率よく行うことができる撮影サービスシステムを提供するものである。
【００１１】
【課題を解決するための手段】
本発明の撮影サービスシステムは、被写体の撮影及び撮影画像の出力を行うものであって、各撮影地点において被写体の撮影を行う複数の撮影ユニットと、前記撮影サービスシステム利用者を識別する被写体識別情報を記憶し、記憶した前記被写体識別情報を前記撮影ユニットに送信可能な携帯通信ユニットと、前記撮影ユニットにおいて撮影した被写体画像の画像データと、前記撮影ユニットが前記被写体画像撮影時に受信した前記被写体識別情報を含む撮影情報とを、関連付けて記憶管理する画像記憶部と、前記画像記憶部に記憶された前記被写体画像の画像データを用いて、出力画像データを生成し、出力する画像編集出力装置とを含み、前記携帯通信ユニットは、撮影サービス依頼時に前記利用者に提供されるものであり、前記撮影ユニットは、前記撮影サービス依頼時に当該撮影ユニットの撮影地点での撮影を希望した利用者を識別する被写体識別情報を予め保持すると共に、前記携帯通信ユニットから受信した前記被写体識別情報が前記保持した被写体識別情報である場合に前記撮影を行うものであり、前記画像編集出力装置は、前記利用者が希望する画像コンテンツを特定する情報である前記出力画像データの生成に関する情報及び前記利用者が希望する画像データの出力方法を特定する情報である前記出力画像データの出力に関する情報を含む、前記被写体識別情報に対応した前記利用者毎の撮影依頼情報の取得が可能であり、前記被写体識別情報に基づいて、前記画像記憶部から前記関連付けられた被写体画像の画像データを抽出し、前記抽出した画像データと対応する前記撮影依頼情報とに基づいて、当該利用者が希望する出力画像データを生成し、当該利用者が希望する出力方法で前記生成した出力画像データを出力するものである。
【００１５】
本発明の撮影サービスシステムにおける前記出力画像データの生成に関する情報は、前記利用者が撮影を希望する撮影地点情報を含むものである。
【００１６】
本発明の撮影サービスシステムにおける前記出力画像データの生成に関する情報は、前記被写体画像の画像データを利用した合成画像の種類を特定する情報を含むものである。
【００１７】
本発明の撮影サービスシステムにおける前記特定される合成画像の種類は、前記撮影地点を含む地図画像の前記撮影地点に、それぞれ対応する前記撮影ユニットにおいて撮影した前記被写体画像をマッピングした画像を含むものである。
【００１８】
本発明の撮影サービスシステムにおける前記画像記憶部に記憶される前記撮影情報は、対応する前記撮影ユニットによる撮影時刻情報を含み、前記地図画像は、前記撮影時刻情報に基づいて生成した、前記撮影地点間の移動経路を示す画像を含むものである。
【００１９】
本発明の撮影サービスシステムにおける前記撮影地点間の移動経路を示す画像は、前記撮影地点間を結ぶ矢印画像を利用するものである。
【００２０】
本発明の撮影サービスシステムにおける前記画像記憶部に記憶される前記撮影情報は、対応する前記撮影ユニットによる撮影時刻情報を含み、前記特定される合成画像の種類は、前記撮影時刻情報に基づいて前記被写体画像を撮影時刻順に一列に配置した画像を含むものである。
【００２１】
本発明の撮影サービスシステムにおける前記出力画像データの出力に関する情報は、前記出力画像データに基づくプリント出力、前記出力画像データの記録媒体への出力、前記出力画像データのネットワークによる配信を行うサーバへの出力の少なくとも１つを指示する情報を含むものである。
【００２２】
本発明の撮影サービスシステムにおける前記撮影依頼情報は、前記出力画像データの受領希望時刻情報を含み、前記画像編集出力装置は、前記受領希望時刻情報に基づく時刻に、前記被写体識別情報に対応した前記出力画像データの生成及び出力を開始するものである。
【００２３】
本発明の撮影サービスシステムにおける前記画像記憶部は、撮影画像管理サーバに設けられ、前記撮影ユニットは、前記撮影画像管理サーバに接続可能に構成されるものである。
【００２４】
本発明の撮影サービスシステムは、さらに、画像表示部を有し、かつ前記画像記憶部にアクセス可能なサービス端末装置を含み、前記携帯通信ユニットは、前記被写体識別情報を前記サービス端末装置に送信可能であり、前記サービス端末装置は、前記携帯通信ユニットから受信した前記被写体識別情報と関連付けられた前記画像データを前記画像記憶部から取得し、取得した前記画像データに基づく被写体画像を前記画像表示部に表示するものである。
【００２５】
本発明の撮影サービスシステムにおける前記サービス端末装置は、前記受信した被写体識別情報に対応する前記利用者の撮影依頼情報の変更受付が可能に構成されるものである。
【００２６】
【発明の実施の形態】
以下、本発明の実施の形態について、図面を用いて説明する。図１は、本発明の撮影サービスシステムの実施の形態の概略構成を示す図である。図１のシステムは、撮影ユニット１１、１２、１ｎ、携帯通信ユニット２０、管理サーバ４０、操作端末５０、画像編集装置６０、プリンタ７０、サービス端末９０を含み、管理サーバ４０は、ＬＡＮ３０を介して撮影ユニット１１、１２、１ｎ及びサービス端末９０と接続される。また、管理サーバ４０には、操作端末５０と画像編集装置６０が接続され、画像編集装置６０には、プリンタ７０、及び媒体出力装置８０が接続される。なお、以降の説明では、図１のシステムは、テーマパークにおける撮影サービスを行うものとする。
【００２７】
撮影ユニット１１、１２、１ｎは、各撮影地点において被写体の撮影を行うもので、テーマパーク内の撮影スポット、アトラクションの所定箇所、テーマパーク内の写真館等に設置される。撮影ユニット１１、１２、１ｎは、携帯通信ユニット２０との間で無線通信が可能であり、携帯通信ユニット２０から受信した被写体識別情報が所定の情報である場合に、被写体の撮影を行う。そして、撮影した画像情報に被写体識別情報の他、撮影地点情報（撮影ユニット番号でもよい。）、撮影時刻情報等の撮影情報を関連付けて管理サーバ４０に送信する。被写体の撮影を行うかどうかを判断するための所定の情報は、予め管理サーバ４０から送信され、撮影ユニットに保持される。なお、図１では、３個の撮影ユニット１１、１２、１ｎのみを示してあるが、３個に限らずさらに多くの撮影ユニットが設けられる。
【００２８】
携帯通信ユニット２０は、撮影サービスの提供を受けようとする利用者が、携帯するもので、撮影ユニット１１、１２、１ｎとの間で無線通信が可能である。図１では、１個の携帯通信ユニット２０のみを示してあるが、利用者がそれぞれ携帯する。携帯通信ユニット２０は、内部に被写体を識別する被写体識別情報を記憶しており、撮影ユニット１１、１２、１ｎに対して通信可能となっている。被写体識別情報は、撮影サービスを受けようとする利用者を識別する利用者識別情報を用いてもよいし、携帯通信ユニット２０に予め設定された携帯通信ユニット番号等を利用してもよい。携帯通信ユニット番号を利用する場合は、予め携帯通信ユニット番号とその携帯通信ユニットを所持する利用者を対応付けておく。
【００２９】
撮影ユニット１１、１２、１ｎと携帯通信ユニット２０は、特開２００１−１７７７５０公報に記載された従来の撮影ユニット及び通信ユニットを利用することができる。テーマパーク内の撮影スポットには、利用者の依頼によって撮影を行う撮影ユニットを固定設置し、アトラクションの所定箇所には、予め設定されているタイミングで撮影を行う撮影ユニットを固定設置する。また、テーマパーク内の写真館には、可搬型の撮影ユニットを配置する。これらの撮影ユニット１１、１２、１ｎは、被写体の撮影を行うべき被写体識別情報が、管理サーバ４０から送信され記憶される点を除くと、上記従来の撮影ユニットを同様であるので詳細な説明は省略する。また、携帯通信ユニット２０は、複数種類の撮影ユニットに送受信可能なものを利用する。
【００３０】
管理サーバ４０は、撮影サービスシステム全体を管理するもので、サービスに必要な各種情報を記憶する管理ファイル４２とともに、撮影ユニット１１、１２、１ｎで撮影した被写体画像の画像データを記憶する画像ファイル４１を含む。操作端末５０は、テーマパークのサービスセンタ等に設けられ、サービス利用希望者の各種情報、及び撮影依頼情報の登録、撮影情報の出力指示等を行うものである。操作端末５０は、１個に限らず複数設けてもよい。
【００３１】
登録される撮影依頼情報には、被写体画像の画像データを用いた出力画像データの生成及び出力に関する情報が含まれる。出力画像データの生成に関する情報には、利用者が撮影を希望する撮影地点情報、被写体画像の画像データを利用した合成画像の種類を特定する情報が含まれる。すなわち、利用者が希望する画像コンテンツを特定するものである。また、出力画像データの出力に関する情報は、画像データの出力方法を特定するもので、プリント出力、記録媒体への出力、ネットワークによる配信を行う画像情報蓄積配信サーバ（図示せず）への出力の指示が可能となっている。
【００３２】
画像編集装置６０は、画像ファイル４１に記憶された被写体画像の画像データを用いて、出力画像データを生成し、出力するものである。画像データの生成、出力に際しては、管理ファイル４２に記憶された利用者毎の撮影依頼情報を利用する。画像編集装置６０は、画像ファイル４１に記憶された１又は複数の被写体画像データとテンプレートファイル６１に記憶されたテンプレート画像とを合成する。テンプレート画像としては、撮影地点に関するもの、撮影時刻に関するものが用意される。撮影地点に関するテンプレート画像の一例は、テーマパークのアトラクションのイラストであり、他の例はテーマパークの地図画像である。地図画像の場合は、利用者（被写体）の移動経路を示す矢印画像等を付加してもよい。
【００３３】
合成画像には、上記したようなテンプレート画像に撮影した被写体の画像をマッピングするとともに、撮影地点、撮影日時、撮影対象、サービス利用者（被撮影者）の氏名等のテキストを付加することも可能である。また、撮影した被写体の画像を撮影順に並べることも可能である。合成画像の大きさは、任意のものが選択可能であり、画像の全体形状も通常の形状だけでなく、ロール状のものも選択可能である、ロール状のものは、複数画像を撮影時刻順に配置して出力するものに特に好適である。
【００３４】
なお、図１では、管理サーバ４０と画像編集装置６０を別ハードウェアで実現するものとして示したが、一部又は全部を兼用してもよい。また、操作端末５０を別のハードウェアで形成するだけでなく、管理サーバ４０の操作部で代用してもよい。
【００３５】
プリンタ７０は、出力画像データに基づいた画像をプリントするものである。
また、媒体出力装置８０は、出力画像データを記録媒体に出力する場合に使用するものである。媒体出力装置８０は、ＣＤ−ＲＯＭ、ＤＶＤ、ＦＤ等、記録媒体の種類に応じて複数種類の媒体書込み装置からなる。
【００３６】
サービス端末９０は、利用者が、撮影ユニット１１、１２、１ｎで撮影済の画像を閲覧するのに利用するもので、テーマパーク内のレストラン、休憩所等に設けられる。サービス端末９０は、携帯通信ユニット２０から被写体識別情報を受信可能であり、管理サーバ４０の画像ファイル４１から取得した画像データに基づく画像を表示する画像表示部（図示せず）が設けられる。サービス端末９０としては、レストラン等のテーブルに設けられる多機能端末を利用することが可能である。その場合、テーブルに着席した利用者が所持する携帯通信ユニット２０から被写体識別情報を受信し、対応する撮影済画像を自動的に表示させるようにすると、サービス性が向上する。
【００３７】
また、サービス端末９０に操作部（図示せず）を設け、登録済の撮影依頼情報を変更可能としてもよい。その場合、管理サーバ４０の画像ファイル４１から取得した撮影依頼情報を表示部（図示せず）に表示させ、変更可能な項目を修正し、管理サーバ４０に送信する。なお、サービス端末９０は、必ずしも設ける必要はなく、また、設ける場合、撮影済画像の閲覧のみ可能としてもよい。
【００３８】
この場合、サービス端末９０には、予め被写体識別情報を送信蓄積しておく。
そして、レストランのテーブル等に設置されるサービス端末９０は、携帯通信ユニット２０に対して問合せ信号を送信し、携帯通信ユニット２０から被写体識別情報を取得する。取得した被写体識別情報が、予め記憶された被写体識別情報と一致する時、管理サーバ４０に対して、撮影済画像データの送信を依頼し、受信した画像データに基づく画像の表示を自動的に行う。
【００３９】
次に、図１の撮影サービスシステムの利用方法及び動作を、利用の時系列の順に説明する。
【００４０】
テーマパークにおいて提供される撮影サービスシステムを利用する場合、利用者は、テーマパークのサービスセンタで利用申込を行う。利用が初めての場合はまず利用者情報の登録を行う。利用者情報としては、氏名、住所、利用料金支払い情報、電子メールアドレス等を登録し、登録情報は、管理サーバ４０の管理ファイル４１を構成する利用者情報ファイルとして管理される。利用者情報ファイルは、例えば図２に示すように、登録時に付与した利用者識別情報に対応させて、氏名、住所、利用料金支払い情報（例えば現金支払い、クレジット支払いの区別）、電子メールアドレス、登録日、利用履歴等を記憶するものである。利用者登録は、一度登録すると一定期間は再登録不要とし、撮影サービスシステムの利用毎に更新されるようにするのが好ましい。また、サービスセンタでの登録だけでなく、インターネット等のネットワーク、電話等によって事前に登録可能としてもよい。
【００４１】
利用者情報の登録後、利用者は、撮影を希望する撮影地点情報、撮影画像データを利用した合成画像の種類を特定する情報、出力画像データの受領希望時刻情報、出力画像データの出力方法を特定する情報を含む撮影依頼情報の登録を行い、登録された撮影依頼情報は、管理サーバ４０の管理ファイル４１を構成する撮影依頼情報ファイルとして管理される。
【００４２】
撮影を希望する撮影地点情報は、撮影コンテンツとして予め用意された複数の撮影地点グループから選択するようにするのが好ましい。例えば、特定の乗物型アトラクションのグループ、特定のコスチュームを着けて撮影する写真館グループ、著名施設を背景とした撮影スポットのグループ、テーマパーク内のキャラクタと一緒に撮影するグループ等を候補を提示し、それらの中から選択する。選択は、１グループに限らず複数のグループでもよい。また、グループ選択に限らず、撮影地点を個別に選択可能としてもよい。選択した撮影地点情報は、希望コンテンツとして登録される。
【００４３】
撮影画像データを利用した合成画像の種類を特定する情報は、選択した撮影地点での撮影画像を、どのようなテンプレート画像を使用し、どのように配置するかを示すもので、希望レイアウトとして登録される。希望レイアウトは、申込時に参考例を参照して選択するようにするのが好ましい。
【００４４】
出力画像データの受領希望時刻情報は、利用者が撮影後の合成画像を取得したい時刻を示す情報であり、この時刻によって、撮影ユニット１１、１２、１ｎの利用期限時刻が定まる。出力画像データの出力方法によって、撮影終了後合成画像データの出力に必要とする時間が異なるので、受領希望時刻と利用期限時刻の関係は、一律ではない。
【００４５】
出力画像データの出力方法を特定する情報は、プリント出力、記録媒体への出力、ネットワークによる配信を行う画像情報蓄積配信サーバ（図示せず）への出力の１又は複数を指示するものである。
【００４６】
撮影依頼情報ファイルは、例えば図３に示すように、登録時に付与した利用者識別情報に対応させて、申込時刻、受領時刻、希望コンテンツ、希望レイアウト、希望出力方法を記憶するものである。
【００４７】
利用者情報及び撮影依頼情報の登録が終了すると、利用者には、例えば「撮影サービスカード」とネーミングされた携帯通信ユニット２０が貸与される。携帯通信ユニットは、従来の撮影システムで提案されているものと同様のものが利用可能であり、非接触ＩＣカードが利用される。この携帯通信ユニット２０は、複数種類の撮影ユニットに使用可能とするため、送受信が可能なものを使用し、撮影ボタンを有するものとするのが好ましい。携帯通信ユニット２０は、例えば図４に示すように、消去可能な印刷部２１に、利用者氏名、プリント出来上がり時刻（出力画像データの受領希望時刻）、撮影終了時刻が印刷される。
【００４８】
携帯通信ユニット２０は、それぞれ固有のユニット番号を有しており、貸与時、貸与される利用者の利用者識別情報を対応付ける。対応付けは、例えば図５に示すような管理サーバ４０の管理ファイル４１を構成する携帯通信ユニット管理ファイルを用いて行い、有効フラグによって貸与中であることを表示する。
【００４９】
管理サーバ４０は、利用者情報及び撮影依頼情報の登録が終了すると、撮影依頼情報ファイルの希望コンテンツ情報に基づいて、その利用者が希望する撮影地点の撮影ユニット１１、１２、１ｎを選択し、選択した撮影ユニット１１、１２、１ｎにその利用者に貸与した携帯通信ユニット２０の番号を送信する。携帯通信ユニットの番号を受信した撮影ユニット１１、１２、１ｎは、その番号を被写体識別情報として記憶し、撮影に要否判断に利用する。
【００５０】
撮影サービスの依頼をし、携帯通信ユニット２０を貸与された利用者は、適宜希望した撮影地点で自動的に又は携帯通信ユニット２０の撮影ボタン２２を押すことにより、撮影を行う。写真館における撮影あるいはキャラクタといっしょの撮影等、撮影者が待機している撮影地点では、被写体識別情報を送信し、撮影者の指示に従う。
【００５１】
搭乗型アトラクションにおける撮影は、例えば次のように行う。この地点に設けられる撮影ユニットは、アトラクションの所定位置に設置した撮影カメラ、アトラクションの搭乗座席近傍に設けた、携帯通信ユニット２０と通信可能な通信ユニットを含む。この通信ユニットは、携帯通信ユニット２０に対して問合せ信号を送信し、携帯通信ユニット２０が記憶するユニット番号を取得する。そして取得したユニット番号が、予め記憶されたユニット番号である場合、撮影カメラは、利用者の搭乗位置が撮影カメラの撮影エリアに移動するタイミングで撮影を行う。撮影カメラの撮影画像データは、被写体識別情報であるユニット番号と関連付けられ、撮影時刻情報等の撮影情報とともに、管理サーバ４０に送信する。送信する前に、撮影装置内のメモリ（図示せず）に一時保管し、適当なタイミングで管理サーバ４０に送信するようにしてもよい。
【００５２】
著名施設を背景とした撮影スポットにおける撮影は、次のように行う。この地点に設けられる撮影ユニットは、利用者が携帯通信ユニット２０を操作した時に撮影動作が行われるものである。利用者は、撮影スポットに到達後、撮影を希望する場合、携帯通信ユニット２０の撮影ボタンを操作して撮影を依頼する。撮影スポットに到達したことは、予め、サービス申込時に受領した地図によって知ることができるが、何等かの目印を設けるのが好ましい。撮影ユニットが携帯通信ユニット２０の存在を自動的に検出して、ユニット番号を取得し、予め記憶された番号である時、その携帯通信ユニット２０に音、振動等により注意を喚起するようにしてもよい。
【００５３】
撮影を依頼すると、撮影ユニットは、撮影を開始し、撮影した画像を撮影ユニットの表示部（図示せず）に表示する。利用者は、表示部に表示された撮影画像を確認し、満足する画像であれば撮影ボタン２２を再度押して撮影を指示する。撮影指示があると、撮影ユニットはその時点の撮影画像データをメモリ（図示せず）に書き込む。その際、必要な画像処理を行い、場合によっては圧縮処理を行った後にメモリに書き込んでもよい。そして、撮影画像データは、被写体識別情報であるユニット番号と関連付けられ、撮影時刻情報等の撮影情報とともに、管理サーバ４０に送信される。送信する前に、撮影装置内のメモリ（図示せず）に一時保管し、適当なタイミングで管理サーバ４０に送信するようにしてもよい。
【００５４】
撮影ユニット１１、１２、１ｎから送信された撮影画像データは、画像番号が付与され管理サーバ４０の画像ファイル４１に記憶される。また、各画像データに関連付けられた被写体識別情報及び撮影情報は、管理ファイル４２を構成する画像管理ファイルに記憶される。図６は、画像管理ファイルの一例を示す図である。画像管理ファイルには、画像番号に対応つけて、その画像を撮影した撮影ユニット番号、撮影時に取得した被写体識別情報である携帯通信ユニット番号、撮影日時、画像ファイル４１へのリンク情報が記憶される。
【００５５】
画像編集装置６０は、所定時間毎に管理ファイル４２の撮影依頼情報ファイルにアクセスして撮影終了時刻と現在時刻を比較し、現在時刻が撮影終了時刻を経過したとき、その利用者識別情報に対応する画像情報の編集を開始する。すなわち、利用者識別情報から携帯通信ユニット管理ファイルを参照して携帯通信ユニット番号を取得し、画像管理ファイルからその携帯通信ユニット番号と対応付けられた画像番号を取得し、さらに、画像ファイルから対応する撮影画像データを抽出する。
【００５６】
そして、撮影依頼情報ファイルの希望レイアウト情報に基づき、必要なテンプレート画像をテンプレートファイルから抽出し、画像合成を行う。次いで、希望出力方法情報の指示に基づき、プリンタ７０、媒体出力装置８０を駆動したり、図示しない画像情報蓄積配信サーバに合成画像情報のアップロードを行う。したがって、受領希望時刻以降、利用者は、サービスセンタで希望する形態で出力画像データを取得可能となる。なお、その際、出力方法がプリント及び記録媒体出力の場合は、プリント又は記録媒体をサービスセンタで入手するが、画像情報蓄積配信サーバに合成画像情報のアップロードの場合は、アップロードした情報のアクセス方法（例えば、アップロードしたウェブページのＵＲＬ及びパスワード）の教示を受ける。
【００５７】
なお、撮影終了時刻は、申込時に設定した受領時刻に応じて設定してもよいが、とりあえず最終受領時刻に対応した最終撮影終了時刻に設定しておき、最終撮影終了時刻以前でも所定の操作によりサービス終了可能とすることも可能である。サービス終了の操作は、携帯通信ユニット２０に別に設けた終了ボタン（図示せず）により行う。サービス終了信号を受信した撮影ユニットは、管理サーバ４０にサービス終了を通知し、撮影依頼情報ファイルが変更される。したがって、画像編集装置６０は、画像編集を開始し、所定時間経過後、出力画像データを所定の形式で出力される。
【００５８】
以上、テーマパークにおける撮影サービスを例に説明したが、本撮影システムは、観光地における撮影サービスにも適用可能である。この場合、利用の申込は、観光案内所等で行い、希望コンテンツとしては、予め用意したモデル観光ルートに沿った撮影地点を選択してもよいし、利用者の観光予定コースに沿った地点の撮影装置を個別に選択してもよい。
【００５９】
【発明の効果】
以上の説明から明らかなように、本発明によれば、利用者が必要とする画像を効率よく撮影し、撮影画像情報に基づく出力サービスを効率よく行うことができる。
【図面の簡単な説明】
【図１】本発明の撮影サービスシステムの実施の形態の概略構成を示す図
【図２】本発明の撮影サービスシステムの利用者情報ファイルの一例を示す図
【図３】本発明の撮影サービスシステムの撮影依頼情報ファイルの一例を示す図
【図４】本発明の撮影サービスシステムの携帯通信ユニットの一例を示す図
【図５】本発明の撮影サービスシステムの携帯通信ユニット管理ファイルの一例を示す図
【図６】本発明の撮影サービスシステムの画像管理ファイルの一例を示す図
【符号の説明】
１１、１２、１ｎ・・・撮影ユニット
２０・・・携帯通信ユニット
２１・・・印刷部
２２・・・撮影ボタン
３０・・・ＬＡＮ
４０・・・管理サーバ
４１・・・画像ファイル
４２・・・管理ファイル
５０・・・操作端末
６０・・・画像編集装置
６１・・・テンプレートファイル
７０・・・プリンタ
８０・・・媒体出力装置
９０・・・サービス端末
【図１】
0003976123.tif 000002
【図２】
0003976123.tif 000003
【図３】
0003976123.tif 000004
【図４】
0003976123.tif 000005
【図５】
0003976123.tif 000006
【図６】
0003976123.tif 000007